Podtech/llm-jp-corpus-v4-ja_patent huggingface dataset:
(57)【要約】【課題】ダイヤル先を間違って、他者のＦＡＸに送信されることがあり問題があった。【解決手段】送信側のＦＡＸとＰＢＸもしくは公衆網の間に、本発明の装置を接続し、送信者は、ＦＡＸする文書に、一枚、自分の電話番号を書いた表紙をつけ、通常の操作で、ＦＡＸすると、装置が一旦これを受け、相手側のＦＡＸに、この表紙に書かれた電話番号に電話するように指示する旨の説明書のみを送信し、受信者が、これを読み、送信者と電話し、正しい受信者であることを確認できたならば、送信者は、装置に対して電話をして、残りの本文情報を送信するようにする、ＦＡＸ誤送信防止方式である。【選択図】図１
2008067337.tif 000002
【特許請求の範囲】
【請求項１】
受信者が正しい受信者であることが確認できてから、本文を送信する方式であり、確認方法として、受信者に対して、本人確認可能情報を送付することによる方式。
【発明の詳細な説明】
【技術分野】
【０００１】本発明は、ＦＡＸの誤送信を防止する技術分野に属する
【発明の開示】
【発明が解決しようとする課題】
【０００２】ＦＡＸで重要な文章を送信しようとした場合、ダイヤル先を間違って、他者のＦＡＸに送信されることがあり問題があった。この問題を、送信元のＦＡＸに登録されたＦＡＸ番号を変えることなく、かつ簡便に解決できる方法が必要であった。
【課題を解決するための手段】
【０００３】送信側のＦＡＸとＰＢＸもしくは公衆網の間に、本発明の装置を接続し、送信者は、ＦＡＸする文書に、一枚、自分の電話番号を書いた表紙をつけ、通常の操作で、ＦＡＸすると、装置が一旦これを受け、相手側のＦＡＸに、この表紙に書かれた電話番号に電話するように指示する旨の説明書のみを送信し、受信者が、これを読み、送信者と電話し、正しい受信者であることを確認できたならば、送信者は、装置に対して電話をして、残りの本文情報を送信するようにする、ＦＡＸ誤送信防止方式である。
【発明の効果】
【０００４】本技術の効果として、第一に、送信者と受信者の通話を用いることにより、確実に確認できるということであり、第二に、送信者のＦＡＸの設定をまったく変える必要がなく、すでに短縮ダイヤルなどに登録してあるものを、そのまま利用できることにあり、第三に、送信先の確認後、紙情報を送信するにときに、受信者が、ＦＡＸや装置の前にいる必要がなく、リモートで送信コマンドを送信できることにあり、第四に、装置が比較的安価に作成可能であり、なおかつ設置も単に送信側ＦＡＸと、ＰＢＸもしくは公衆網の間に接続するだけである。
【発明を実施するための最良の形態】
【０００５】図１から図５に、本発明の最適な実施例を示しており、本発明の実施前は、単に、送信側ＦＡＸが公衆網もしくはＰＢＸに接続されている形態であったが、この間に図１のＰＣを接続し、このＰＣには、二つのＣＴＩボードが挿入されており、ひとつは、送信側ＦＡＸ、他方は公衆網もしくはＰＢＸに接続され、送信者が、図３に示す本文と、連絡先電話番号が書かれた表紙を加えた紙情報を、送信側ＦＡＸに送信するが、このときのＦＡＸ操作は、本技術実施前と全く同じ操作であり、送信者は、受信者側ＦＡＸの電話番号をダイヤルして送信し、ＰＣは、これをＣＴＩボード１で受信し、同時に受信者側ＦＡＸの電話番号も受信し、次に、ＣＴＩボード２から、ＦＡＸを送信し、相手先が電話でなくＦＡＸであることが確認できた場合は、ＣＴＩボード２から図４に示す、取扱説明書と、図３に示す連絡先が書かれた表紙のみをおくり、また、本文は送信せず、この情報はＰＣ内のハードディスクに保存し、また同時にＣＴＩボード１から、送信者のＦＡＸに、図２に示す、取扱説明書を送信し、送信者は、受信者からの連絡を待ち、受信者は、受信したＦＡＸの内容に従い、受信者の携帯電話から、送信者の携帯電話に電話をし、会話をすることにより、送信者に、受信者が正しい受信者であることを確認させ、さらにセッション番号１を受信者から送信者に伝えることにより、より正確に確認をし、通話を終了し、送信者は、取扱説明書の指示にしたがい、携帯電話からＣＴＩボード２に電話をし、セッション番号２をダイヤルし、通話を終了し、ＣＴＩボード２は、これを受けて、ハードディスク内に保存されている情報と、受信者側ＦＡＸの電話番号を用いて、受信者側ＦＡＸに残りの本文を送信することにより、ＦＡＸの誤送信を防ぐ。また図５は、本技術を格安かつ省スペースで実現するための装置構成であり、ノートＰＣとモデムカードを利用する。また、上記セッション番号１、セッション番号２は、毎回ランダムに変更される。
【図面の簡単な説明】
【０００６】
【図１】本技術を施した装置構成図である
【図２】ＰＣから送信者用ＦＡＸに送信される、送信用の取扱説明書である
【図３】送信者が、送信者側ＦＡＸを用いて送信する書類である
【図４】ＰＣから受信者用ＦＡＸに送信される、受信者用の取扱説明書である
【図５】本技術を、格安かつ省スペースで実現できる装置構成である
【図１】
2008067337.tif 000003
【図２】
2008067337.tif 000004
【図３】
2008067337.tif 000005
【図４】
2008067337.tif 000006
【図５】
2008067337.tif 000007
(57)【要約】【課題】分解能の向上化と変換速度の高速化のうち、部分的に分解能が向上すれば足りるような場合に有効なＡＤ変換装置を提供する。【解決手段】入力ダイナミックレンジ全体を入力範囲とする差動増幅装置を具備しないＡＤ変換装置１、３を設け、入力ダイナミックレンジの一部で高分解能が必要な入力区間では、ＡＤ変換装置２の前段に差動増幅回路を設け、ＡＤ変換装置３の入力側で極端に変動が開始する電圧となる定電圧源Ｖｒｅｆを上記ＡＤ変換装置３の入力側に設ける。【選択図】図２
2008067336.tif 000002
【特許請求の範囲】
【請求項１】
複数のＡＤ変換装置を用いるＡＤ変換装置において、複数のＡＤ変換装置のうち一つは前段に差動増幅回路を備えず前記ＡＤ変換装置の入力ダイナミックレンジ全体を入力範囲とすることを特徴とし、他の前記ＡＤ変換装置の前段には差動増幅回路を備え、前記ＡＤ変換装置の入力ダイナミックレンジ内の任意の入力範囲について、差動増幅してＡＤ変換することを特徴とするＡＤ変換装置。
【請求項２】
前記差動増幅回路の基準となる電圧を前記複数のＡＤ変換装置にて変換することを特徴とする請求項１に記載のＡＤ変換装置。
【発明の詳細な説明】
【技術分野】
【０００１】  本発明は、アナログ信号をデジタル信号に変換するＡＤ変換装置に関する。
【背景技術】
【０００２】  アナログ信号のデジタル化は量子化の際に分解能に応じた量子化誤差が生じる。ＡＤ変換装置を用いる場合、量子化誤差が装置全体に及ぼす影響が十分小さくなる程度の分解能を持つＡＤ変換装置を用いるのが一般的であるが、同時に変換にかかる時間も高速化が望まれる。【０００３】  また、高い分解能の実現と同時に変換速度の高速化が課題であり、例えばその方法は変換速度が速いとされる並列比較形では特許文献１に開示されている。
【特許文献１】特公平０７−０５４９１０号公報
【発明の開示】
【発明が解決しようとする課題】
【０００４】  高い分解能の実現と変換速度の高速化は一方を追求すれば他方を犠牲にせざるを得ないという二律背反の関係にあり、どちらか一方を多少犠牲にする設計が行われていた。【０００５】  また、今日においてはＡＤ変換装置がＣＰＵなどの他の半導体素子と同一のパッケージに入った状態で提供されることも多く、思うように分解能だけをあげることは困難な状況であった。【０００６】  本発明は、上記の事情に鑑みてなされたものであって、部分的に分解能が向上すれば足りるような場合に有効なＡＤ変換装置を提供することを目的としている。
【課題を解決するための手段】
【０００７】  本発明は複数のＡＤ変換装置を用いるＡＤ変換装置において、複数のＡＤ変換装置のうち一つは前段に差動増幅回路を備えず前記ＡＤ変換装置の入力ダイナミックレンジ全体を入力範囲とすることを特徴とする。入力ダイナミックレンジ全体を入力範囲としているため、ＡＤ変換装置の分解能は向上しないが、入力ダイナミックレンジ全体をカバーすることが出来る。【０００８】  一方、入力ダイナミックレンジのうち一部で高分解能を必要とする入力区間においては、前記ＡＤ変換装置の前段に差動増幅回路を備えることにより、任意の入力範囲について差動増幅してＡＤ変換することで見かけ上の分解能を上げることができる。【０００９】  図１のようにＡＤ変換装置への入力ＶｉｎがＶｒｅｆからＶｍａｘの区間βにて急激に変動するものとする。個々のＡＤ変換装置の分解能がｎビットであった場合、０からＶｍａｘ、つまり全区間を入力ダイナミックレンジとしてＡＤ変換しようとすれば２ｎが分解能であり、増幅処理をしない区間αにおいては（α＋β）／２ｎが当該ＡＤ変換装置での量子化誤差となる。【００１０】  区間αについては（α＋β）／２ｎの量子化誤差で問題なくても、区間βにおいては（α＋β）／２ｎの量子化誤差では大きすぎるような場合には、区間βを当該ＡＤ変換装置のダイナミックレンジに合うように入力ＶｉｎがＶｒｅｆからＶｍａｘだったものを、０からＶｍａｘとなるようにＧ倍に差動増幅することで、区間βの分解能をＧ×２ｎとすることができ、量子化誤差を低減することが出来る。図１の実線がＶｉｎで、一点破線が区間βをＧ倍して、ＡＤ変換装置のダイナミックレンジに合わせた例である。
【発明の効果】
【００１１】  本発明に係るＡＤ変換装置によれば、複数のＡＤ変換装置があれば、前段に差動増幅回路を備えることにより、任意の区間の分解能を高める効果がある。
【発明を実施するための最良の形態】
【００１２】  図２は、本発明の実施形態を説明するためのＡＤ変換装置を示す概略構成図である。同図に示す差動増幅器は例えばＯＰアンプ５と抵抗６〜９で構成される。【００１３】  図１に示すようにＡＤ変換装置１の入力が区間βで極端に変動する場合など、部分的に量子化誤差が問題となる区間が事前に分かっている場合には、ＡＤ変換装置の入力が極端に変動が開始する電圧をＶｒｅｆとする差動増幅回路をＡＤ変換装置２の前段に備えることにより、前記部分的に量子化誤差が問題となる区間の入力信号をＡＤ変換装置２のダイナミックレンジ分まで差動増幅することにより、前記区間の分解能を向上させることが出来る。【００１４】  このときＶｒｅｆを出力する定電圧源４の電圧を別のＡＤ変換装置３で読み取ることにより、ＡＤ変換装置１〜３を制御する制御装置、例えばＣＰＵなどに分解能を向上させる入力点を知らせることができ、必要に応じてＡＤ変換装置１〜３を切替え、必要なダイナミックレンジを確保することができる。
【産業上の利用可能性】
【００１５】  以上説明したように、本発明に係るＡＤ変換装置によれば、より簡便な構造により部分的に分解能を向上させる場合に有用である。
【図面の簡単な説明】
【００１６】
【図１】入力電圧と量子化の一例を示す図
【図２】実施例の一例を示す図
【符号の説明】
【００１７】  １      ＡＤ変換装置
２      ＡＤ変換装置
３      ＡＤ変換装置
４      定電圧源
５      ＯＰアンプ
６      抵抗器
７      抵抗器
８      抵抗器
９      抵抗器
【図１】
2008067336.tif 000003
【図２】
2008067336.tif 000004
(57)【要約】    【課題】  移乗性を向上できる座椅子を提供すること。    【解決手段】  床面４に設置される脚部２と、脚部２と連結し、駆動力を受けて昇降する座面３とを備える座椅子１であって、座面３の幅が座椅子１における最大の幅である構成としたこと。【選択図】  図１
2008067847.tif 000002
【特許請求の範囲】
【請求項１】
床面に設置される脚部と、
前記脚部と連結し、駆動力を受けて昇降する座面と、
を備える座椅子であって、
前記座面の幅が前記座椅子における最大の幅であることを特徴とする座椅子。
【請求項２】
床面に設置される脚部と、
前記脚部と連結し、駆動力を受けて昇降する座面と、
前記座面と幅方向に連続する平面部を形成可能な肘掛と、
を備える座椅子であって、
前記座面と前記平面部を合わせた幅が前記座椅子における最大の幅であることを特徴とする座椅子。
【発明の詳細な説明】
【技術分野】
【０００１】
本発明は、座椅子に関するものである。
【背景技術】
【０００２】
後述の特許文献１には、車輪付きの座椅子をベッド等の対象物へ寄せて、利用者を対象物に移乗させる技術が開示されている。車輪部の幅が、製品における最大の幅となっている。
【特許文献１】特開２００２−８５４６１号公報
【発明の開示】
【発明が解決しようとする課題】
【０００３】
しかし、上述のものでは、製品における最大の幅を持つ部分が車輪部になる為、ベッドに対して幅方向に寄せると車輪幅分ベッドと座面の間に隙間が生まれる。このため、利用者が座面からベッドに移乗する際には、隙間をなくすため公知のスライディングボード等を用いなければならず、利用者が容易に移乗できなかった。
【０００４】
よって、本発明は上記の問題点に鑑みてなされたものであり、移乗性を向上できる座椅子を提供することを課題とする。
【課題を解決するための手段】
【０００５】
上記課題を解決するために、本発明にて講じた技術的手段は、請求項１に記載の様に、床面に設置される脚部と、前記脚部と連結し、駆動力を受けて昇降する座面と、を備える座椅子であって、前記座面の幅が前記座椅子における最大の幅である構成としたことである。
【０００６】
上記課題を解決するために、本発明にて講じた技術的手段は、請求項２に記載の様に、床面に設置される脚部と、前記脚部と連結し、駆動力を受けて昇降する座面と、前記座面と幅方向に連続する平面部を形成可能な肘掛と、を備える座椅子であって、前記座面と前記平面部を合わせた幅が前記座椅子における最大の幅である構成としたことである。
【発明の効果】
【０００７】
請求項１に記載の発明によれば、座面の幅が座椅子における最大の幅なので、座椅子の座面と対象物（例えばベッドや車椅子）とを座面の幅方向に隙間なくぴったりと並べることができる。これにより、座椅子の利用者が座面から対象物により容易に移乗でき、座椅子の移乗性を向上できる。
【０００８】
請求項２に記載の発明によれば、座面と平面部を合わせた幅が座椅子における最大の幅なので、座面と連続する平面部と対象物（例えばベッドや車椅子）とを座面の幅方向に隙間なくぴったりと並べることができる。これにより、座椅子の利用者が座面から対象物に平面部を介してより容易に移乗でき、座椅子の移乗性を向上できる。
【発明を実施するための最良の形態】
【０００９】
以下、本発明を実施するための最良の形態を、図面を基に説明する。
【００１０】
図１は、本発明に係る座椅子１の斜視図である。座椅子１は、脚部２と、座面３とを備えている。脚部２は、床面４に設置され、座椅子１を支える部分である。座面３は、座椅子１の利用者が座る部位である。座面３は、脚部２と連結し、アクチュエータ（図示なし）から駆動力を受けて昇降する。座椅子１は、さらに、座面３に対して後方に傾けることのできる背もたれ５と、跳ね上げ可能な肘掛６とを備えている。本実施形態に係る座椅子１では、座面３の幅が座椅子１における最大の幅となっている。この構造によれば、例えば同図に示す様に座椅子１とベッド７をいっしょに使う場合に、座椅子１の座面３とベッド７とを座面３の幅方向に隙間なくぴったりと並べることができる。これにより、座椅子１の利用者は、公知のスライディングボード等を用いることなく、肘掛６を跳ね上げた後、座椅子１の座面３からベッド７により容易に移乗できる。
【００１１】
図２は、本発明の他の実施形態に係る座椅子１１の斜視図である。座椅子１１は、脚部１２と、座面１３とを備えている。脚部１２は、床面４に設置され、座椅子１１を支える部分である。座面１３は、座椅子１１の利用者が座る部位である。座面１３は、脚部１２と連結し、アクチュエータ（図示なし）から駆動力を受けて昇降する。座椅子１１は、さらに、座面１３に対して後方に傾けることのできる背もたれ１５と、肘掛１６とを備えている。肘掛１６は可動式で、同図に示す様に、座面１３の幅方向に倒すことができる。倒された肘掛１６は、座面１３と同一面（同じ高さの面）を形成し、座面１３と幅方向に連続する平面部１７を形成する。本実施形態に係る座椅子１１では、座面１３と平面部１７を合わせた幅が座椅子１１における最大の幅となっている。この構造によれば、例えば同図に示す様に座椅子１１とベッド７をいっしょに使う場合に、座面１３と連続する平面部１７とベッド７とを座面１３の幅方向に隙間なくぴったりと並べることができる。これにより、座椅子１１の利用者は、公知のスライディングボード等を用いることなく、座椅子１１の座面１３からベッド７に平面部１７を介してより容易に移乗できる。
【００１２】
図３は、本発明の他の実施形態に係る座椅子２１の斜視図である。座椅子２１は、脚部２２と、座面２３とを備えている。脚部２２は、床面４に設置され、座椅子２１を支える部分である。座面２３は、座椅子２１の利用者が座る部位である。座面２３は、脚部２２と連結し、アクチュエータ（図示なし）から駆動力を受けて昇降する。座椅子２１は、さらに、座面２３に対して後方に傾けることのできる背もたれ２５と、肘掛２６とを備えている。肘掛２６は可動式で、同図に示す様に、座面１３に対して下方に移動できる。下方に移動した肘掛２６は、座面２３と同一面（同じ高さの面）を形成し、座面２３と幅方向に連続する平面部２７を形成する。本実施形態に係る座椅子２１では、座面２３と平面部２７を合わせた幅が座椅子２１における最大の幅となっている。この構造によれば、例えば同図に示す様に座椅子２１とベッド７をいっしょに使う場合に、座面２３と連続する平面部２７とベッド７とを座面２３の幅方向に隙間なくぴったりと並べることができる。これにより、座椅子２１の利用者は、公知のスライディングボード等を用いることなく、座椅子２１の座面２３からベッド７に平面部２７を介してより容易に移乗できる。
【図面の簡単な説明】
【００１３】
【図１】本発明に係る座椅子１の斜視図。
【図２】本発明の他の実施形態に係る座椅子１１の斜視図。
【図３】本発明の他の実施形態に係る座椅子２１の斜視図。
【符号の説明】
【００１４】
１  座椅子
２  脚部
３  座面
４  床面
１１  座椅子
１２  脚部
１３  座面
１６  肘掛
１７  平面部
２１  座椅子
２２  脚部
２３  座面
２６  肘掛
２７  平面部
【図１】
2008067847.tif 000003
【図２】
2008067847.tif 000004
【図３】
2008067847.tif 000005
(57)【要約】【課題】事務用椅子は働くのに便利、働き易さを重視したデザイン機能で、働き疲れて一休みしたいと考えてもその椅子に座った状態では休息したり、リラックスしたりし難い。しかもお仕着せで自分に合った椅子を選ぶことも難しい。事務用椅子に付ける枕を考えたが市販の事務用椅子は多種多様で、又背もたれと枕との距離も長く角度の調整も面倒で構造も簡単にならずコストもかなりかかる。そこで枕と同程度にリラックス感を感じられる首枕を考えた。【解決手段】コスト面を考えて、単に椅子の背もたれと背中の間に挟み込むタイプにした。２枚の板の真中に首枕の付いている板を挟み込み、左右の両端をコの字型の枠で挟み込むだけで固定完成する。コンパクトタイプで座ったままでも片手でセットできるので、常時使用しても、傍に置いておき休息したい時のみの使用も他人の目を気にする必要もなく使用できる。【選択図】  図５
2008067806.tif 000002
【特許請求の範囲】
【請求項１】
本発明は事務椅子の背もたれと座った時の背中の間に挟んで楽な姿勢と休息感でリラックスさせるためのツールで、２枚の板の間に上部に首用枕を取り付けた別の１枚の板を、コの字状の長尺部品を使って左右で挟み込み、背中に当たる部分の一部にクッションを設けた、事務椅子用リラックス補助具。
【請求項２】
挟み込む２枚の板との間隔を、枕を取り付けた板の厚さより多く空けて隙間を作り、そこに板バネを取り付けることにより、抜き引きするだけで枕の位置を簡単に変えることが出来る、事務椅子用リラックス補助具。
【発明の詳細な説明】
【技術分野】
【０００１】
本発明は、事務用椅子が仕事中心の機能デザインが主で、寄りかかると背もたれが後ろに倒れるなどの工夫はあるにせよ、この椅子に座りながら体を休めるには向いていない。別な場所でソファー等に座れば休息できる事がわかっていても仕事中に席を離れられない場合も多い。これは仕事中に椅子に座りながら休息感を味わうための手段に関するものである。
【背景技術】
【０００２】
事務用椅子は、休息するための椅子ではない。如何に働き易いかを追求し、働くために適した機能を主にしたデザインになっている。とはいえ社長や重役用などに売り出されている椅子は非常に高価だがリラックスできる。
【特許文献１】特開２０００―３３３７７1
【特許文献２】特開２００４―３２９８１２
【特許文献３】実開平６―４１５５６
【特許文献４】実開昭４２―２９８９
【特許文献５】実開大正２５５００
【発明の開示】
【発明が解決しようとする課題】
【０００３】
一般的に使用している椅子の大部分はお仕着せで、自分に合わなくても我慢しなければならない。しかもこれが毎日である。高価な椅子との違いはいろいろあるが、大きな違いの一つには背もたれの長さがある、その点を考慮して座り比べると、頭を支えられればかなりのリラックス感があることに気付いた。そこで大げさなものではなく、他人の目を気にすることなくリラックスしたい時に頭を支えてくれる器具が欲しいと考えた。  
【課題を解決するための手段】
【０００４】
椅子の背もたれに取り付ければ簡単に解決すると考えたが、思っていた以上にそれぞれの形状が異なり、枕を取り付けたいと考えても事務用椅子の背もたれの上部と枕を取り付ける位置との距離がかなりあり、角度もかなり変化し、市販品の大部分に取り付けられるものを考えると、複雑で高価なものになってしまうことがわかった。しかし実際にテストを繰り返して見ると、必ずしも頭の後ろでなくても首が支えられればかなりのリラックス感を味わうことが出来ることがわかった。
首枕で良ければ背もたれの上部との距離も短く、単に背もたれと背中の間に挟み込むだけで、わざわざ取り付けなくても使えることもわかった。
当初は枕の下に２本のパイプを取り付け、本体上部に開けた穴に差し込んでユーザーに合った位置で固定することを考えたが、コスト面を考えて改良して行くうちに、もっと簡単で、同じ効果が期待できる方法に辿りついた。
枕の下に取り付ける筈だった２本のパイプの代わりに板を取り付け、２枚の板と背あてクッションで作られた本体に、長尺でコの字形をした金具で挟み込んだだけで固定できる方法を考えた。このタイプでは予め枕が首の後ろ位置になるように計って枠で挟み込んで固定する。
【発明の効果】
【０００５】
椅子のタイプや状況により、常に背もたれの前に置いておいても良し、そばに置いておいて休みたい時にだけ使うことも出来る。片手で簡単に背中の後ろに置けば良い。周囲に気を使わずにリラックスできる。構造が非常に簡単になったので、かなりのコストダウンが可能だ。
【発明を実施するための最良の形態】
【０００６】
前面部が凹み、角も丸くなっている首枕（３）の下部に板３（４）を取り付ける。板２（８）に背当てクッション（２）を取り付け、板1（７）との間に板３（４）を挟み込んで左右からコの字型のフレーム金具（５）で止め固定すればそれだけで完成する。クッションは接着して両端をフレーム枠に挟み込んで固定する。首枕の位置が合わない場合は枠を外して位置を決め直して再び固定する。塗装も木目調など落ち着いた色調にする必要があるでしょう。
別のタイプとして挟み込む隙間を大きくして板バネを取り付ければ、固定後でも自由に何時でも首枕の位置の調整が可能になるだけでなく、フレーム枠を細いネジで固定でき、ばらばらになるのを防げる。
【図面の簡単な説明】
【０００７】
【図１】本体の斜視図
【図２】本体中心部の断面図  右はバネを使って簡単に枕上下の調整の出来るタイプ
【図３】コの字型枠の斜視図の一部
【図４】全体底面図
【図５】椅子に本体を取り付けた斜視図
【符号の説明】
【０００８】
１  本体
２  背当てクッション
３  首まくら
４  枕に取り付けられている板
５  コの字型の枠
６  バネ
７  挟み込む板1
８  挟み込む板２
【図１】
2008067806.tif 000003
【図２】
2008067806.tif 000004
【図３】
2008067806.tif 000005
【図４】
2008067806.tif 000006
【図５】
2008067806.tif 000007
(57)【要約】【課題】体力増強健康志向の風潮に乗ってフィットネスクラブ等は各所に存在するようになったが、そのトレーニングに参加するには、クラブ入会が必須條件であり、昨今の交通事情の煩雑化で、雑多な障害が多く煩わしい。春から秋にかけて、特に酷暑の盛夏などでは各種マシンによるトレーニングは全身汗まみれで、頗る過酷であって、更なる精進の意欲を減殺しかねないものがあった。【解決手段】トレーニングマシンそのものを各家庭等に設置出来れば、フィットネスクラブ入会の必要もなく、交通事情の如何に係わらずトレーニングに励むことが出来て便利である。酷暑の盛夏などでは、冷水中のトレーニングであるから、汗まみれになることもなく却って快適なトレーニングが出来て頗る好都合である。【選択図】図１
2008168105.tif 000002
【特許請求の範囲】
【請求項１】
円柱形或は多角柱形に構成された枠組の中に袋状に成形された厚手ビニール袋を縦に挿入しその上部の開口部を枠組に固定したフィットネス用立泳ぎトレーニング装置
【請求項２】
円柱形或は多角柱形に成形された縦形立体形のその上部に開口部を設けたフィットネス用立泳ぎトレーニング装置
【発明の詳細な説明】
【技術分野】
【０００１】本発明は立泳ぎトレーニンク装置に関するものであり、円柱形或は多角柱形に構成された枠組内に、厚手に成形されたビニール袋を挿入し、その開口部を枠の上部開口部に折り返して固定したものである。
【背景技術】
【０００２】フイットネスクラブ等で使用されている体力増強マシンは多々あるが、それらマシンを利用するには、クラブ入会が必須條件であり、そのトレーニングに当っては、いちいちクラブ会場迄出向かねばならず煩雑である。酷暑の盛夏などでは、トレーニングそのものが汗まみれで極めて過酷で意欲をそがれ勝ちであった。
【発明が解決しようとする課題】
【０００３】フィットネスクラブに入会し、その都度足を運ぶのは交通事情の如何によっては煩雑であり、酷暑の夏などではマシンの利用も敬遠され勝ちである。
【発明の効果】
【０００４】立泳ぎという泳法は全身運動で、体力増強には、絶大な効果があるが、酷暑の夏などでは冷水中でのトレーニングだから極めて快適で水位を落せば、水中足踏状態にもなりトレーニングの調節も可能である。
【発明を実施するための最良の形態】
【０００５】円柱形或は多角柱形に構成された枠組各壇の側壁の断面を凹凸の関係にすることによって、丁度重箱を数段重ねた時のように安定させることが出来るので枠組各壇の側壁の断面を図３及び図４によって確認して頂きたい。
【図面の簡単な説明】
【０００６】
【図１】本発明の斜視図である。本図の場合は四角柱形である。Ｂは枠組内に挿入された大形ビニール製袋の開口部を枠組開口部上辺を挟むように折返して固定した部分である。Ｃは漏水抜き用小穴
【図２】本発明の平面図である。Ａ――  −  ――Ａ′は切断線
【図３】本発明の２段目３段目４段目５段目のＡ――Ａ′断面図である。尚２段目３段目４段目５段目は同形である。
【図４】本発明１段目のＡ――Ａ′断面図である。Ｃは漏水抜き用小穴
【図１】
2008168105.tif 000003
【図２】
2008168105.tif 000004
【図３】
2008168105.tif 000005
【図４】
2008168105.tif 000006
(57)【要約】【課題】  鍋に、お玉を入れたままふたをしたとき、ふたがずれて透間が出来、お玉の柄が横になり、そのまま火に掛け使用すると熱によって、お玉の把手部が破損することが有り、不便で有り課題であった。【解決手段】  鍋本体（１）のつば部（８）の一部に、横長の穴を設け、鍋ふた（２）の縁に、おの柄が収まる凹部を形成、お玉の柄（３）にフック（９）を取付、鍋底の深さに合せて、上下に動く構造に形成されており、お玉を入れたままでもふたのあきがなく、お玉の柄が直立に収まるため、そのまま火にかけても把手部が熱によって破損することなく、お玉を入れたままふたをして置いてもなんらの支障もない鍋とお玉を提供する。【選択図】図１
2008168104.tif 000002
【特許請求の範囲】
【請求項１】
鍋のつば部に、お玉の柄に付いたフックが収まるように、横長の穴を設けた鍋。
【請求項２】
鍋ふたの縁に、お玉の柄が収まるように、お玉の柄の巾に、凹部を設けた鍋ふた。
【請求項３】
お玉の柄に、上下に動くフックを設けたお玉。
【発明の詳細な説明】
【技術分野】
【０００１】    本発明は、料理のとき鍋にお玉を入れたままふたが良く出来る鍋とお玉に関する。
【背景技術】
【０００２】    従来、鍋にお玉を入れたままふたをすると良くふたが出来ず、お玉の柄がななめになり、そのまま使用すると熱により把手部が破損することがあり不便で問題があった。上記の問題を解決するために形成に成る鍋、ふた、お玉を提供する。
【発明の開示】
【発明が解決しようとする課題】
【０００３】    従来の鍋は、お玉を入れたままふたをして料理するには問題があることが課題であった。
【課題を解決するための手段】
【０００４】    鍋本体つば部に横長の穴を設けることを特徴とする。【０００５】    鍋ふた縁部にお玉の柄部巾の凹状に形成することを特徴とする。【０００６】    お玉の柄部にフックを設け、鍋底の深さにより上下にフックを動かし調整できることを特徴とする。
【発明の効果】
【０００７】    鍋に、お玉を入れたままでもふたのあきが無く、特に汁物の料理にはそのまま置いても、ふたのあきが無いため衛生の点でも問題がなく、そのままあたためてもお玉の柄が直立のため、把手部が熱によって破損することなく使用できるため便利である。
【発明を実施するための最良の形態】
【０００８】    鍋本体つば部に、横長の穴を設け、お玉の柄に付けたフックが入るように形成する。ふた縁部に凹状にお玉の柄が収まるように設け、お玉の柄部に、上下に動くフックを設けて、鍋底の深さによって調整する。
【実施例】
【０００９】    鍋本体（１）のつば部（８）の一部に横長の穴（７）を設け、鍋ふた（２）の縁に凹部を形成、又、お玉の柄部（３）に、フック（９）を取付、鍋底の深さによって上下に動く構造に形成されたものである。
【図面の簡単な説明】
【００１０】
【図１】    本発明の実施斜視図
【図２】    鍋本体の平面図
【図３】    鍋ふたの平面図
【図４】    お玉の斜視図
【図５】    従来鍋の実施斜視図
【図６】    フック拡大の斜視図
【図７】    フック取付部の柄の拡大図
【符号の説明】
【００１１】    １  鍋本体
２  鍋ふた
３  お玉柄部
４  把手
５  とって
６  とって
７  横長穴
８  つば部
９  フック
１０  玉部
１１  内側に付いた凸部
１２  取付穴
１３  凹部
【図１】
2008168104.tif 000003
【図２】
2008168104.tif 000004
【図３】
2008168104.tif 000005
【図４】
2008168104.tif 000006
【図５】
2008168104.tif 000007
【図６】
2008168104.tif 000008
【図７】
2008168104.tif 000009
(57)【要約】【課題】機械組立、試運転調整及び配線配管の軽作業は中腰作業が多く、又、その高さでの作業時間もあるため足、膝及び腰に掛かる体重の負担で痛み及び疲労が発生する。作業場所も頻繁に変わるため、持ち運びが簡単でその場ですぐ使用可能な補助具が要求されている。【解決手段】どの高さでも作業がやりやすいように腰掛として金具付安全帯２を取付け、体重の負担を空気圧封入シリンダ２本で受ける構造とする。空気圧封入シリンダ１ａ、１ｂの下側は安全靴保持具３ａ、３ｂに固定され、上側は金具付安全帯２の端面に固定される。金具付安全帯は作業者の太ももと固定されているため、歩行時同時についていく。作業姿勢に合せて尻を受ける金具付安全帯を空気圧封入シリンダで持上げているため、常に体重の大部分を受ける。シリンダ昇降をロックすれば体重の全てを受けることが出来る。【選択図】図１
2008168102.tif 000002
【特許請求の範囲】
【請求項１】
２本の空気圧封入シリンダの下側を安全靴保持具に取付け、上側を腰掛として使用する金具付安全帯の端面に取付けて構成した軽作業用シリンダ腰掛。
【発明の詳細な説明】
【技術分野】
【０００１】本発明は機械組立、試運転調整及び配線配管の中腰での軽作業時、足、膝及び腰に掛かる体重の負担を腰掛として使用する安全帯で受ける軽作業用シリンダ腰掛に関するものである。
【背景技術】
【０００２】機械組立、試運転調整及び配線配管の軽作業は結構中腰作業が多い。又その高さでの作業時間も結構あるため、足、膝及び腰に掛かる体重の負担で痛み及び疲労が発生する。【０００３】
【特許文献１】特開２００１−１２８７９１号公報、特開２００１−０５７９１９号公報  特開２００３−１２５６０７号公報、特開２００３−０１９０５５号公報
【発明の開示】
【発明が解決しようとする課題】
【０００４】機械組立、試運転調整及び配線配管の軽作業は結構中腰作業が多い。又その高さでの作業時間も結構あるため、足、膝及び腰に掛かる体重の負担で痛み及び疲労が発生する。作業場所も頻繁に変わるため、移動しやすい物にする必要がある。
【課題を解決するための手段】
【０００５】どの高さでも作業がやりやすいように腰掛として金具付安全帯２を取付け、体重の負担を空気圧封入シリンダ１ａ、１ｂで受ける構造とする。
空気圧封入シリンダ１ａ、１ｂの下側は安全靴保持具３ａ、３ｂに固定され、上側は金具付安全帯２の端面に固定される。金具付安全帯は作業者の太ももと固定されているため、歩行時同時についていく。作業姿勢に合わせて尻を受ける金具付安全帯を空気圧封入シリンダで持上げているため常に体重の大部分を受ける。シリンダ昇降をロックすれば体重の全てを受けることが出来る。
【発明の効果】
【０００６】中腰のどの高さでも腰掛可能とするため金具付安全帯２を取付け、２本の空気圧封入シリンダで体重を受けるので足、膝及び腰に掛かる体重の負担が少なくなる。空気圧封入シリンダ１ａ、１ｂは安全靴保持具及び作業者の太ももに固定されている金具付安全帯に取付けられているため、作業者歩行時同時についていく。
以下、本発明の実施形態について説明する。
（イ）．どの高さでも腰掛として使用出来る金具付安全帯２を２本の空気圧封入シリンダで持上げ、作業者の歩行と同時についていく。空気圧封入シリンダ１ａ、１ｂはハンドル式ロック機構が付いている。
【実施例１】
【０００７】図１は軽作業用シリンダ腰掛に作業者が坐った状態の正面図、側面図及び平面図を示す。図２は空気圧封入シリンダの断面図及びＡ、Ｂ、Ｃ各部の断面詳細図を示す。【０００８】図１において、軽作業用シリンダ腰掛の構成部品を示す。空気圧封入シリンダ１ａ、１ｂの下部は安全靴保持具３ａ、３ｂのボールパット５ｂに取付けられ、上部は金具付安全帯２のボールパット５ａに取付けられる。金具付安全帯２は作業者の太ももに固定され、上部に取手７を設けている。空気圧封入シリンダ１ａ、１ｂにはストロークのどの位置でもロック可能なようにハンドル６が取付けられている。安全靴保持具３ａ、３ｂには作業者歩行時の負担軽減のため案内輪４が取付けられている。【０００９】図２において、空気圧封入シリンダ断面図に空気圧封入シリンダ１ａ、１ｂの構成部品を示す。空気圧はシリンダ外筒１０及びシリンダ内筒１１に封入されており、上部及び下部にボールネジ１２ａ、１２ｂを取付けてあらゆる角度に傾斜可能としている。ねじ込み部はエア漏れ防止平パッキン１３ａ、１３ｂが取付けられている。最下降時の衝撃緩衝にゴムバッファ２２が取付けられている。【００１０】図２において、Ａ部詳細は内筒１１の上部でボールネジ１２ａ、平パッキン１３ａ及び空気圧供給金具１４の取付状態を示す。封入空気圧シールはボールネジ１２ａねじ込み部は平パッキン１３ａで、空気圧供給金具１４は管用テーパネジでシールテープを巻き付けてねじ込みシールされる。空気圧供給金具１４は逆止弁が内蔵されており、供給した空気圧は逆止弁でシールされる。【００１１】図２において、Ｂ部詳細はシリンダ内筒１１をシリンダ外筒１０にロックする構造を示す。ロックナット１５がネジ１７で結合され、ハンドル取付ネジ１８に取付けられたハンドル６でロックナット１５をねじ込むことによりグリッパ１６がシリンダ内筒１１をグリップすることになりロックされる。グリッパ１６は円錐筒で６分割され、シリンダ外筒１０とのテーパ摺動部によりグリップしシリンダ内筒をロックする。【００１２】図２において、Ｃ部詳細はシリンダ外筒１０とシリンダ内筒１１の摺動部は空気圧の漏れがないようにＵパッキン１９でのシール構造を示す。ブッシュ２０はＵパッキン１９押さえとシリンダ内筒１１からシリンダ外筒１０への力の伝達を行う。
【図面の簡単な説明】
【００１３】
【図１】本発明実施例の軽作業用シリンダ腰掛に作業者が坐った状態の正面図、側面図及び平面図である。
【図２】本発明実施例の空気圧封入シリンダ断面図及びＡ，Ｂ、Ｃ各部の断面詳細図である。
【符号の説明】
【００１４】１ａ    シリンダ                １０    シリンダ外筒
１ｂ    シリンダ                １１    シリンダ内筒
２      金具付安全帯            １２ａ  ボールネジ
３ａ    安全靴保持具            １２ｂ  ボールネジ
３ｂ    安全靴保持具            １３ａ  平パッキン
４      案内輪                  １３ｂ  平パッキン
５ａ    ボールパット            １４    空気圧供給金具
５ｂ    ボールパット            １５    ロックナット
６      ハンドル                １６    グリッパ
７      取手                    １７    ネジ
８      安全靴                  １８    ハンドル取付ネジ
１９    Ｕパッキン
２０    ブッシュ
２１    ボルト
２２    ゴムバッファ
【図１】
2008168102.tif 000003
【図２】
2008168102.tif 000004
(57)【要約】【課題】  布団干し具に布団を干している時、風が吹いて倒れることを防止する支柱の補強支持具を提供する。【解決手段】  布団干し具の広げた側のたての支柱に伸縮棒を入れるはめ込み口を設けた筒を設けたフックをひっかけて、支柱と支柱の間に伸縮棒を渡して支柱を固定し、布団干し具が風によって倒れることを防ぐことを特徴とする。【選択図】図１
2008168103.tif 000002
【特許請求の範囲】
【請求項１】
布団干し具の支柱と同じ太さのフックに、はめ込み口を設けた伸縮棒用筒を取り付け、前記はめ込み口に伸縮棒の一端を挿着し、他端にはめ込み口を設けた伸縮棒用筒を挿着したことを特徴とする布団干し具の支柱補強用具。
【発明の詳細な説明】
【技術分野】
【０００１】  本発明は、布団を干している時、風が吹いて布団干し具が転倒するのを防ぐために、広げた側のたての支柱に、伸縮棒のはめ込み口を作った筒を付けたフックを取り付け、その間に長さを自由に調整できる伸縮棒を入れて支柱が動かないように固定する支柱補強用支持具に関するものである。
【背景技術】
【０００２】  従来、布団は布団干し具を適当な広さに広げ、それに布団を干していた。
しかし、布団干し具は布団をかけない状態でも安定感が悪く支柱が少しねじれた様な状態になることがあった。
【発明の開示】
【発明の解決しようとする課題】
【０００３】  そのために次のような問題があった。
布団を干している時、ぐらぐらした感じがあり、風が吹くと倒れてしまうことが度々あった。
本発明は、以上の問題を解決しようとするものである。
【課題を解決するための手段】
【０００４】  上記問題を解決するため本発明は、布団干し具の支柱と同じ太さのフックに、はめ込み口を設けた伸縮棒用筒を取り付け、前記はめ込み口に伸縮棒の一端を挿着し、他端にはめ込み口を設けた伸縮棒用筒を挿着する。
以上を特徴とする支柱の補強支持具である。
【発明の効果】
【０００５】  本発明は、広げた側のたての支柱と支柱にフックを取り付け、筒に伸縮棒を入れて支柱を固定するので風が吹いても倒れない。
また、フックはたての支柱のどの部分にでも取り付けられるので高さが自由になり、方向も自由になるので伸縮棒をまっすぐに入れられる。
また、伸縮棒は長さを自由に調整できるので布団干し具を、干す場所の広さによって長さを調節し、布団に太陽光を当てる時間の調整もできる。
布団の向きも簡単に変えることができる。
【発明を実施するための最良の形態】
【０００６】  以下、本発明の実施の形態を説明する。
（イ）支柱の太さからなるＵ字状のフック（１）を作る。
（ロ）フック（１）に伸縮棒用筒（２）と伸縮用筒（２）の他端にはめ込み口（２ａ）を    設ける。
（ハ）伸縮棒（３）の両端に、フック（１）の伸縮棒用筒（２）の下部に設けられたはめ    込み口（２ａ）を装着する。
（ニ）布団干し具の支柱Ａ（４）、支柱Ｂ（５）を広げ、その間に適当な長さに伸ばした    伸縮棒を筒（２）のはめ込み口（２ａ）にはめ込んで布団干し具（７）を固定する。
本発明は、以上の構成よりなっている。
本発明を使用する時は、布団干し具の広げた側の支柱Ａ（４）支柱Ｂ（５）、支柱Ｂ（５）支柱Ｃ（６）に伸縮棒用筒（２）を付けたフック（１）を取り付ける。
その間に（３）の適当な長さに伸ばした伸縮棒（３）をはめ込み口（２ａ）にはめ込む。
支柱Ａ（４）支柱Ｂ（５）、支柱Ｂ（５）支柱Ｃ（６）を固定して布団を干す。
【図面の簡単な説明】
【０００７】
【図１】  本発明の分解した状態を示した側面図
【図２】  本発明の使用状態を示した斜視図
【符号の説明】
【０００８】      １  フック
２  伸縮棒用筒
２ａ  はめ込み口
３  伸縮棒
４  支柱Ａ
５  支柱Ｂ
６  支柱Ｃ
７  布団干し具
【図１】
2008168103.tif 000003
【図２】
2008168103.tif 000004
(57)【要約】【課題】機械組立、試運転調整及び配線配管の軽作業は中腰作業が多く、又、その高さでの作業時間もあるため足、膝及び腰に掛かる体重の負担で痛み及び疲労が発生する。作業場所も頻繁に変わるため、持ち運びが簡単でその場ですぐ使用可能な補助具が要求されている。【解決手段】どこでも持ち運び出来、運転可能とするためバッテリ電源１０を利用し、ブレーキ付ギヤードモータ４でボールネジ３を駆動して、作業高さに応じてサドル１４を昇降させる。サドル１４高さ調整が簡単に実施出来るようにサドルに腰掛けたまま誤操作しない位置に操作押ボタン１３ａ、１３ｂを配置する。【選択図】図１
2008168101.tif 000002
【特許請求の範囲】
【請求項１】
外筒に取付けられたサドルをバッテリ電源を有し、操作ボタン操作で正転及び逆転に動作するブレーキ付ギヤードモータにより駆動されるナットを内筒に固定したボールネジで昇降する軽作業用昇降サドル。
【発明の詳細な説明】
【技術分野】
【０００１】本発明は機械組立、試運転調整及び配線配管の中腰での軽作業時、足、膝及び腰に掛かる体重の負担をサドルで受ける軽作業用昇降サドルに関するものである。
【背景技術】
【０００２】機械組立、試運転調整及び配線配管の軽作業は結構中腰作業が多い。又その高さでの作業時間も結構あるため、足、膝及び腰に掛かる体重の負担で痛み及び疲労が発生する。【０００３】
【特許文献１】特開２００１−１２８７９１号公報、特開２００１−０５７９１９号公報  特開２００３−１２５６０７号公報、特開２００３−０１９０５５号公報
【発明の開示】
【発明が解決しようとする課題】
【０００４】機械組立、試運転調整及び配線配管の軽作業は結構中腰作業が多い。又その高さでの作業時間も結構あるため、足、膝及び腰に掛かる体重の負担で痛み及び疲労が発生する。作業場所も頻繁に変わるため、移動しやすい物にする必要がある。
【課題を解決するための手段】
【０００５】どの高さでも作業がやりやすいように腰掛としてサドル１４を取付け、その場でサドルの高さが簡単に調整出来るようにボールネジ３をバッテリ電源のブレーキ付ギヤードモータ４で駆動する構造とする。
サドルに腰掛けた状態で高さ調整が簡単に出来るように操作ボタンをサドル取付部に上昇用と下降用と別々に配置し、誤操作しないようにする。
持運びが簡単なように小型軽量化の構造とする。
【発明の効果】
【０００６】中腰のどの高さでも腰掛可能とするためサドル１４を取付け、サドル位置は腰掛たまま操作ボタンの操作により位置調整が出来る。モータ容量を小型化のためボールネジ３を使用しブレーキ付ギヤードモータ４駆動のため、どの位置でも作業姿勢に合せて保持出来る。どの作業場所でも使用出来るようにバッテリ電源とし昇降ガイドを外筒１と内筒２の組合せとし、小型軽量構造であるため持運びに便利である。
以下、本発明の実施形態について説明する。
（イ）．どの高さでも腰掛として使用出来るサドル１４を外筒に取付け、電動モータ駆動ボールネジ３で任意の高さに昇降出来る。
【実施例１】
【０００７】図１は軽作業用昇降サドルに作業者が坐った状態の正面図、側面図及び平面図を示す。
正面図はボールネジ取付状態の断面図を示す。図２は図１正面図に示すＡ、Ｂ及びＣ部の断面詳細図を示す。【０００８】図１において、昇降サドルの構成部品を示す。外筒１に取付けられたサドルサポート１５にサドル１４は取付けられている。外筒１上部にボールネジ３固定のサポートユニット６、カップリング７及びブレーキ付ギヤードモータ４が取付けられている。
内筒２上部にボールネジナット５が取付けられ、ボールネジ３回転により外筒１が昇降しサドル１４が昇降する。外筒１下部に内筒２とのガイド用ガイドブッシュ１６及び上下限検知センサ１１ａ、１１ｂが取付けられている。サドル１４取付けのサドルサポート１５にはブレーキ付ギヤードモータ４駆動の操作ボタン、上昇用押ボタン１３ａ及び下降用押ボタン１３ｂが左手及び右手で操作するように取付けられている。安全のため片手で両方操作しないように右側左側に分けて取付けられている。接地は４本支柱１８にスベリ止め用パット１９が取付けられている。【０００９】図２において、Ａ部詳細は外筒１の上部でサドル１４からの荷重をボールネジ３に伝達するサポートユニット６、ブレーキ付ギヤードモータ４の回転力をボールネジに伝達するカップリング７の取付状態及びバッテリを収納するバッテリ箱１０の配置を示す。【００１０】図２において、Ｂ部詳細はボールネジ３に掛かる荷重をボールネジナット５で受け、内筒２に伝達する状態を示す。又、外筒１に掛かるモーメント負荷も受ける。【００１１】図２において、Ｃ部詳細はボールネジ３下部の回転時の振れ止め８の取付状態、外筒１に掛かるモーメント負荷を内筒２で受けるためのガイドブッシュ１６、外筒１の回転防止用廻り止めキー９の取付状態を示す。電動駆動のため上限及び下限停止用センサ１１ａ、１１ｂ及び各検知棒１２ａ、１２ｂの配置を示す。【００１２】内筒２より接地への荷重伝達はベースプレート１７、４本支柱１８及びスベリ止めパット１９よりとしている。移動を簡単にするためにパット１９をストッパ付キャスタに変更しても良い。
【図面の簡単な説明】
【００１３】
【図１】本発明実施例の軽作業用昇降サドルに作業者が坐った状態の正面図、側面図及び平面図である。正面図はボールネジ取付状態の断面図である。
【図２】本発明実施例の図１の正面図に示すＡ、Ｂ及びＣ部断面詳細図である。
【符号の説明】
【００１４】１    外筒                        １１ａ  上限検知センサ
２    内筒                        １１ｂ  下限検知センサ
３    ボールネジ                  １２ａ  上限検知棒
４    ブレーキ付ギヤードモータ    １２ｂ  下限検知棒
５    ボールネジナット            １３ａ  上昇用押ボタン
６    サポートユニット            １３ｂ  下降用押ボタン
７    カップリング                １４    サドル
８    振れ止め                    １５    サドルサポート
９    廻り止めキー                １６    ガイドブッシュ
１０  バッテリ箱                  １７    ベースプレート
１８    支柱
１９    パット
【図１】
2008168101.tif 000003
【図２】
2008168101.tif 000004
(57)【要約】【課題】名刺を置く場所が無いときに貼れて、メモ書きも一目で確認できる貼付け名刺を提供する。【解決手段】（５）連絡メモ裏に（７）折り目を入れ、（２）粘着と（３）癒着に粘着剤を塗付け、（６）名刺裏の（１）粘着に（２）粘着を粘着し、（６）名刺裏の（４）癒着に（８）癒着を癒着したことを特徴とする。【選択図】図１
2008168603.tif 000002
【特許請求の範囲】
【請求項１】
（５）連絡メモ裏に（７）折り目を入れ、（２）粘着と（３）癒着に粘着剤を塗付け、（６）名刺裏の（１）粘着に（２）粘着を粘着し、（６）名刺裏の（４）癒着に（８）癒着を癒着した、貼付け名刺である。
【発明の詳細な説明】
【技術分野】
【０００１】  この発明は、名刺を置く場所が無いときに貼れて、メモ書きも一目で見える、名刺に関するものである。
【背景の技術】
【０００２】  従来、先方が不在のとき、名刺の置く場所が無い時が有り、さらにメッセージを伝えたい時は、名刺の裏または、別のメモ紙に記入してましたが、先方が確認できない時もある。
【発明の開示】
【発明が解決しようとする課題】
【０００３】  これは次のような欠点があった。
イ、  名刺を置いたときに、先方の方に目に付かない事がある。
ロ、  一目でメッセイジを確認できない。
ハ、  固定出来ないため移動して見つからない。
【課題を解決するための手段】
【０００４】  この発明の基本的な構造をご説明します。（５）連絡メモ裏に（２）粘着と（３）癒着の枠を設け粘着剤を固定し、（６）名刺裏の（１）粘着と（４）癒着の枠を設け、（２）粘着を（１）粘着に粘着して、さらに（４）癒着と（３）癒着に癒着した。
発明は、以上の構成よりなる貼付け名刺である。
【発明の効果】
【０００５】  先方が不在のとき、先方が目に付く場所に貼り付けることができる。多少の障害では動かない、先方が重要な名刺の時は保管場所に貼れて、先方の方で連絡メモだけ剥がして使用できる。
【発明を実施するための最良の形態】
【０００６】イ．  （５）連絡メモ裏に（２）粘着と（３）癒着に粘着剤を固定し。
ロ．  （６）名刺裏の（１）粘着を設けて（４）癒着に癒着させる。
ハ．  （６）名刺裏の（７）粘着を設けて（３）癒着に癒着させる。
本発明は、以上の構成よりなっている。
【実施例】
【０００７】  （１０）脱着の片方を摘み、（３）癒着と（４）癒着を脱着させ（７）折り目で折り曲げて、（３）癒着を自由な目的の場所に貼付ける。
【産業上の利用可能性】
【０００８】  先方の不在には得に、従来よりも、確実にメッセージを伝えられる。
【図面の簡単な説明】
【０００９】
【図１】  本発明の斜視図
【図２】  本発明の構造斜視図
【符号の説明】
【０００１０】  １  粘着
２  粘着
３  癒着
４  癒着
５  連絡メモ裏
６  名刺裏
７  折り目
８  名刺表
９  連絡メモ表
１０  脱着
【図１】
2008168603.tif 000003
【図２】
2008168603.tif 000004